(57)【特許請求の範囲】
【請求項１】
ハウジングと、爪状部材と、
を備えるネイルポリッシュ容器であって、
前記ハウジングは、凹部を有し、
前記爪状部材は、人間の爪の形状及びサイズに実質的に類似し、前記爪状部材が前記凹部に実質的に格納される格納状態と、前記爪状部材の少なくとも一部が前記凹部から突出される延長状態との間で移動可能であるように、前記ハウジングに移動可能に取り付けられるように構成され、
前記ハウジングは、前記凹部の底面にスロットが設置され、
前記爪状部材は、桿部と、アンカーとをさらに備え、
前記桿部は、前記爪状部材の下側から延出し、前記スロットにフィットするサイズ及び形状を有し、
前記アンカーは、前記桿部から延出し、前記スロットの幅より大きいサイズ及び形状を有し、
前記アンカーが前記スロットを通過して前記ハウジングの内側に位置されることにより、前記爪状部材を前記ハウジングに取り付けたままで、前記爪状部材を前記スロットに平行な軸に沿って前記スロットの全長方向に摺動させるように構成されることを特徴とする、ネイルポリッシュ容器。
【請求項２】
ハウジングと、爪状部材と、
を備えるネイルポリッシュ容器であって、
前記ハウジングは、凹部を有し、
前記爪状部材は、人間の爪の形状及びサイズに実質的に類似し、前記爪状部材が前記凹部に実質的に格納される格納状態と、前記爪状部材の少なくとも一部が前記凹部から突出される延長状態との間で移動可能であるように、前記ハウジングに移動可能に取り付けられるように構成され、
前記ハウジングは、前記凹部の底面に孔が設置され、
前記爪状部材は、桿部と、アンカーとをさらに備え、
前記桿部は、前記爪状部材の下側から延出し、前記孔にフィットするサイズ及び形状を有し、
前記アンカーは、前記桿部から延出し、前記孔の幅より大きいサイズ及び形状を有し、
前記アンカーが前記ハウジングの内側に位置されることにより、前記爪状部材を前記ハウジングに取り付けたままで、前記爪状部材を前記格納状態と前記延長状態との間で移動させるように構成されることを特徴とする、ネイルポリッシュ容器。
【請求項３】
前記アンカーが前記爪状部材を前記ハウジングに取り付けたままで、前記延長状態で前記桿部及び前記アンカーを支点として前記爪状部材を前記ハウジングから離れるように回転させることを特徴とする、請求項２に記載のネイルポリッシュ容器。
【請求項４】
前記アンカーが前記爪状部材を前記ハウジングに取り付けたままで、前記爪状部材を前記延長状態で前記桿部及び前記アンカーを回転軸として前記ハウジングの周りで回転させることを特徴とする、請求項２に記載のネイルポリッシュ容器。
【請求項５】
ハウジングと、爪状部材と、
を備えるネイルポリッシュ容器であって、
前記ハウジングは、凹部を有し、
前記爪状部材は、人間の爪の形状及びサイズに実質的に類似し、前記爪状部材が前記凹部に実質的に格納される格納状態と、前記爪状部材の少なくとも一部が前記凹部から突出される延長状態との間で移動可能であるように、前記ハウジングに移動可能に取り付けられるように構成され、
前記ハウジングは、前記凹部の対向側に互いに対向して配置される第１切欠部及び第２切欠部が設置され、前記爪状部材の第１側上の第１突起部のサイズ及び形状は前記第１切欠部に相補的に形成され、前記爪状部材の第２側上の第２突起部のサイズ及び形状は前記第２切欠部に相補的に形成され、前記第１切欠部及び前記第２切欠部は前記第１突起部及び前記第２突起部にそれぞれ係合されることにより、前記爪状部材を前記ハウジングに取り付けたままで、前記爪状部材を前記格納状態と前記延長状態との間で移動させることを特徴とする、ネイルポリッシュ容器。
【請求項６】
前記第１切欠部及び前記第２切欠部と前記第１突起部及び前記第２突起部との係合により、前記爪状部材を前記ハウジングに取り付けたままで、前記延長状態で切欠部及び突起部を支点として前記爪状部材を前記ハウジングから離れるように回転させることを特徴とする、請求項５に記載のネイルポリッシュ容器。
【請求項７】
ハウジングと、爪状部材と、
を備えるネイルポリッシュ容器であって、
前記ハウジングは、凹部を有し、
前記爪状部材は、人間の爪の形状及びサイズに実質的に類似し、前記爪状部材が前記凹部に実質的に格納される格納状態と、前記爪状部材の少なくとも一部が前記凹部から突出される延長状態との間で移動可能であるように、前記ハウジングに移動可能に取り付けられるように構成され、
前記ハウジングは、第１切欠部及び第２切欠部が設置されるキャップ部材とを備え、前記第１切欠部及び前記第２切欠部は、前記キャップ部材の対向側に互いに対向して位置され、前記爪状部材の第１側上の第１突起部のサイズ及び形状は前記第１切欠部に相補的に形成され、前記爪状部材の第２側上の第２突起部のサイズ及び形状は前記第２切欠部に相補的に形成され、前記第１切欠部及び前記第２切欠部は前記第１突起部及び前記第２突起部にそれぞれ係合されて、前記キャップ部材は前記ハウジングに係合されることにより、前記爪状部材を前記ハウジングに取り付けたままで、前記爪状部材を前記格納状態と前記延長状態との間で移動させることを特徴とする、ネイルポリッシュ容器。
【請求項８】
前記第１切欠部及び前記第２切欠部と前記第１突起部及び前記第２突起部との係合、且つ前記キャップ部材と前記ハウジングとの係合により、前記爪状部材を前記ハウジングに取り付けたままで、前記延長状態で切欠部及び突起部を支点として前記爪状部材を前記ハウジングから離れるように回転させることを特徴とする、請求項７に記載のネイルポリッシュ容器。
【発明の詳細な説明】
【関連出願の相互参照】
【０００１】
本国際出願は、同時係属の２０１４年９月１８日出願の米国仮特許出願第６２／０５２３２５号、２０１５年３月１２日出願の台湾特許出願第１０４１０７９９０号及び２０１５年８月１１日出願の中国特許出願第２０１５１０４８８２０２，Ｘ号の優先権を主張し、その全開示を参照により本明細書に組み入れることとする。
【技術分野】
【０００２】
本発明の概念は、主にネイルポリッシュ、顔料またはトリートメント用の液体容器に関し、特に、凹部を有するハウジングと、延長状態と格納状態との間で移動可能な爪状部材とを備えるネイルポリッシュ容器に関するものである。
【背景技術】
【０００３】
審美性の向上のための様々なネイル表面処理による手足の爪飾りが流行している。あらゆる年齢の人々は、外見をより魅力的に引き立たせるように、日常的に爪の外観を変更することがある。また、ネイルトリートメントは、ポリッシュ、ジェル、エナメル、有色、無色又は他のトリートメントを含むことができる。ネイルトリートメントは、一般的には、液体形態で容器と蓋を備えた小さな瓶に分配される。
【０００４】
しかし、ネイルトリートメント液及びその容器に存在する１つの共通の課題は、容器内の液体形態のネイルトリートメント液の視覚的な外観と、爪に施されて乾燥または硬化させた後のネイルトリートメント液の視覚的な外観との差が生まれることがある。特に微妙な色合いの色を扱う場合に、その問題がより深刻になる。瓶内のネイルトリートメントの外観（陰影、色相、値打、彩度、光沢、不透明度など）は、ネイルトリートメントに塗布されたものとは異なる。
【０００５】
もう１つの共通の課題は、一部の使用者にとっては、様々なネイルトリートメントが適切に施された後にどのように見えるかを想像することは困難である。一部の使用者は、特定のトリートメントを決める前に、そのトリートメントが自分の爪に施された様子を下見することを好む。
【発明の概要】
【発明が解決しようとする課題】
【０００６】
上記課題及び他の欠点を解決するため、爪（ｕｎｇｕｉｓ）のサイズ及び形状に類似する爪状部材を備えるネイルポリッシュ容器を提供する。使用者は、ネイルトリートメントを爪状部材に施し、施された爪状部材を使用者の実際の爪に近接することにより、使用者自身の爪に施された場合の視覚的外観を模擬する。各瓶のネイルトリートメントの爪状部材は、一度だけ施す必要がある。施された爪状部材は、ネイルトリートメントの瓶及び／又は蓋に取り付けられたままであり、使用者（又は後続の使用者）は、その後の任意の爪で特定のネイルトリートメントの外観を視覚化することができる。
【０００７】
従って、本発明の１つの目的は、使用者が手足の爪のサイズ及び形状を模擬する付属物で容器内の流体の実際の色及び外観を表現する効果を実現するように、ネイルポリッシュ容器のハウジングを提供する。
【課題を解決するための手段】
【０００８】
本発明の概念に係るネイルポリッシュ容器は、凹部を有するハウジングと、爪状部材とを備える。爪状部材は、人間の爪の形状及びサイズに実質的に類似し、爪状部材が凹部に実質的に格納される格納状態と爪状部材の少なくとも一部が凹部から突出される延長状態との間で移動可能であるように、ハウジングに移動可能に取り付けられるように構成される。
【００１０】
一つの実施例では、ハウジングは、凹部の底面にスロットが設置される。爪状部材は、爪状部材の下側から延出してスロットにフィットするサイズ及び形状を有する桿部と、桿部から延出してスロットの幅より大きいサイズ及び形状を有するアンカーとをさらに備える。アンカーがスロットを通過してハウジングの内側に位置されることにより、爪状部材をハウジングに取り付けたままで、爪状部材をスロットに平行な軸に沿ってスロット全長の範囲に摺動させるように構成される。
【００１１】
他の実施例では、ハウジングは、凹部の底面に孔が設置される。爪状部材は、爪状部材の下側から延出して孔にフィットするサイズ及び形状を有する桿部と、桿部から延出して孔の幅より大きいサイズ及び形状を有するアンカーとをさらに備える。アンカーはハウジングの内側に位置されることにより、爪状部材をハウジングに取り付けたままで、爪状部材を格納状態と延長状態との間で移動させるように構成される。
【００１２】
他の実施例では、アンカーが爪状部材をハウジングに取り付けたままで、桿部及びアンカーを支点として爪状部材を延長状態になるまでハウジングから離れるように回転させる。
【００１３】
他の実施例では、アンカーが爪状部材をハウジングに取り付けたままで、桿部及びアンカーを回転軸として爪状部材を延長状態になるまでハウジングの周りで回転させる。
【発明の効果】
【００１８】
本発明の概念に係るネイルポリッシュ容器は、以下に示す長所を有する。（１）使用者は、容器内の液体形態のネイルトリートメント液の視覚的な外観と、爪に施されて乾燥または硬化させた後のネイルトリートメント液の視覚的な外観と比較して関連付けることができる。（２）使用者は、適切に施された後に様々なネイルトリートメントがどのように見えるかを想像することができる。故に、使用者は特定のトリートメントを決める前に、そのトリートメントが自分の爪に施されたことを模擬することができる。
【００１９】
上述目的及び他の目的は、本発明の説明を意図しており、本発明の制限を意図したものではない。本発明の多くの実施可能な実施例は、以下の明細書及びその一部を含む添付図面を通じて明らかとなり、且つ実施可能となる。例えば、本明細書に含まれる寸法値は、例示的な目的のために提供され、本発明の実施例は、様々な寸法値を有する止血帯または止血帯部品が考えられる。また、本発明のいくつかの特徴及びサブコンビネーションは、他の特徴及びサブコンビネーションを参照することなく採用することができる。本発明の他の目的及び利点は、添付図面に関連する以下の例示的な実施例の説明から更に明らかになる。
【図面の簡単な説明】
【００２０】
本発明の好適な実施例と、出願人がその原理の適用を考えた最適の態様の実例は、以下の説明に記述され、且つ図面、展示物及び/又は付録に示される。
【００２１】
【図１】スライド爪部を有する実施例を示す図面である。
【図２】スライド爪部を有する他の実施例を示す図面である。
【図３】傾斜可能な爪部を有する実施例を示す図面である。
【図４】回転可能な爪部を有する実施例を示す図面である。
【図５】着脱可能な傾け爪部を有する実施例を示す図面である。
【図６】着脱可能な傾け爪部を有する他の実施例を示す図面である。
【図７】着脱可能な傾け爪部を有する他の実施例を示す図面である。
【００２２】
添付図面は、説明目的のためのものであり、実際の縮尺比で描かれているとは限らないと理解されるべきである。
【発明を実施するための形態】
【００２３】
以下詳細な説明は、添付の図面を参照しながら、本発明の概念を実施可能な特定の例示的な実施例を示す。これらの実施例は、当業者が本発明を実施できるように、様々な態様の詳細な説明を記載することを意図している。他の実施例は、本発明の範囲から逸脱することなく、利用及び変更が可能である。従って、以下の詳細な説明は、限定するためのものではない。
【００２４】
本明細書では、「１つの実施例」、「一実施例」又は「実施例」に対する言及は、これらの実施例に関連する特徴又は複数の特徴が本発明の少なくとも１つの実施例に含まれることを意味する。従って、本明細書において各個に言及される「１つの実施例では」、「一実施例」又は「実施例」は、必ずしも全てが同じ実施例について言及するものではなく、別の説明及び／又は当業者にとっては明らかなものである他、相互排他的なものではない。例えば、１つの実施例に記載される特徴、構造、作動などは他の実施例に含まれることもできるが、必ずしも含まれる必要はない。従って、本発明は、本明細書に記載される実施例の様々な組み合わせ及び／又は要素を含むことができる。
【００２５】
本発明の概念は、ネイルポリッシュ、カラー又はトリートメントのための既存のパッケージング（即ち、ネイルポリッシュ容器のハウジング）を改良したものである。主な発明概念は、ネイルポリッシュ容器の瓶又はキャップに組み込まれるものである。本発明のハウジングの例示的な実施例は添付図面に示され、且つ瓶蓋に対して以下に記述されるが、類似の構造的な特徴が瓶（瓶蓋を除き）に組み込まれることは、当業者にとっては自明であるので、瓶及び瓶蓋は、ネイルポリッシュ容器のハウジングの２つの態様である。また、ハウジングは、ネイルポリッシュ容器の蓋の一部として構成され、或いはネイルポリッシュ容器の流体収容構造の一部として構成されることができる。
【００２６】
図１は、スライド爪部を有する本発明の概念の実施例を示す図面である。特に、図１ａは、格納状態の爪状部材１０２を有するハウジング１００を示す。図１ｂは、部分的な後退又は部分的な延長状態の爪状部材１０２を有するハウジング１００を示す。図１ｃは、延長状態の爪状部材１０２を有するハウジング１００を示す。図１ｄは、図１ｃのハウジング１００が中空である断面図を示す。図１ｅは、ハウジング１００が固体である（即ち、中空ではない）断面１ｄの実施例を示す。
【００２７】
図１ａ〜図１ｅを参照し、凹部１１０を有するハウジング１００の実施例が示される。本実施例では、ハウジング１００は、ネイルポリッシュ容器の蓋とするが、これに限定されない。ハウジング１００は、爪、例えば、人間の手爪又は足爪の形状及びサイズに実質的に類似する爪状部材１０２を備える。ハウジング１００は、凹部１１０の両側に互いに平行する第１溝部１０３と、第２溝部１０４とをさらに備える。爪状部材１０２の一縁部が第１溝部１０３に相補的であり、爪状部材１０２の対向縁部が第２溝部１０４に相補的である。爪状部材１０２は、第１溝部１０３及び第２溝部と平行する軸に沿って摺動する。爪状部材１０２が格納状態から延長状態へと摺動し、その間に様々な部分状態がある。ここでは、爪状部材１０２は、格納状態と延長状態との間で状態を変更することができる。爪状部材１０２が収納状態で凹部１１０に実質的に格納され、爪状部材１０２の少なくとも一部が延長状態で凹部１１０から突出される。
【００２８】
図２は、スライド爪部を有する他の実施例を示す図面である。特に、図２ａは、格納状態の爪状部材２０２を有するハウジング２００を示す。図２ｂは、部分的な後退又は部分的な延長状態の爪状部材２０２を有するハウジング２００を示す。図２ｃは、延長状態の爪状部材２０２を有するハウジング２００を示す。図２ｄは、図２ｃのハウジング２００が中空である断面図を示す。図２ｅは、桿部２０６と、アンカーとを備える爪状部材２０２の側面図を示す。
【００２９】
図２ａ〜図２ｅを参照し、凹部２１０を有するハウジング２００の実施例が示される。本実施例では、ハウジング２００は、ネイルポリッシュ容器の蓋とするが、これに限定されない。ハウジング２００は、人間の手爪又は足爪の形状及びサイズに実質的に類似する爪状部材２０２を備える。ハウジング２００は、凹部２１０の底面に位置されるスロット２０３をさらに備える。爪状部材２０２は、爪状部材２０２の下側から延出し、スロット２０３にフィットするサイズ及び形状を有し、スロット２０３の様々な位置に摺動する桿部２０６を備える。爪状部材２０２は、桿部２０６から延出し、スロット２０３の幅より大きくいサイズ及び形状を有するアンカー２０７も備える。アンカー２０７がスロット２０３を通過してハウジング２００の内側に位置されることにより、爪状部材２０２をハウジング２００に取り付けたままで、爪状部材２０２をスロット２０３の全長方向に摺動させるように構成される。爪状部材２０２は、スロットに平行な軸に沿って摺動する。爪状部材２０２が格納状態から延長状態へと摺動し、その間に様々な部分状態がある。ここでは、爪状部材２０２は、格納状態と延長状態との間で摺動且つ移動することができる。爪状部材２０２が収納状態で凹部２１０に実質的に格納され、爪状部材２０２の少なくともの一部が延長状態で凹部２１０から突出される。
【００３０】
図３は、傾斜可能な爪部を有する実施例を示す図面である。特に、図３ａは、格納状態の爪状部材３０２を有するハウジング３００を示す。図３ｂは、格納状態の爪状部材３０２を有する図３ａの側面図を示す。図３ｃは、延長状態の爪状部材３０２を有する図３ａの側面図を示す。図３ｄは、図３ａのハウジング３００が中空である断面図を示す。図３ｅは、孔３０３を示すように、図３ａにおける爪状部材３０２が外される瓶蓋を示す。図３ｆは、桿部３０６と、アンカー３０７とを有する爪状部材３０２の側面図を示す。
【００３１】
図３ａ〜図３ｆを参照し、凹部３１０を有するハウジング３００の実施例が示される。本実施例では、ハウジング３００は、ネイルポリッシュ容器の蓋とするが、これに限定されない。ハウジング３００は、人間の手爪又は足爪の形状及びサイズに実質的に類似する爪状部材３０２を備える。ハウジング３００は、凹部３１０の底面に位置される孔３０３をさらに備える。爪状部材３０２は、爪状部材３０２の下側から延出し、孔３０３にフィットするサイズ及び形状を有する桿部３０６を備える。爪状部材３０２は、桿部３０６から延出し、孔３０３の幅より大きいサイズ及び形状を有するアンカー３０７をさらに備える。アンカー３０７はハウジング３００の内側に位置されることにより、爪状部材３０２をハウジング３００に取り付けたままで、爪状部材３０２をハウジング３００から離れるように、桿部３０６及びアンカー３０７を支点として延長状態へ回転させる又は傾けるように構成される。爪状部材３０２が格納状態から延長状態へと回転し、その間に様々な部分状態がある。ここでは、爪状部材３０２は、格納状態と延長状態との間で回転且つ変化することができる。爪状部材３０２が収納状態で凹部３１０に実質的に格納され、爪状部材３０２の少なくとも一部が延長状態で凹部３１０から突出される。
【００３２】
図４は、回転可能な爪部を有する実施例を示す図面である。特に、図４ａは、格納状態の爪状部材４０２を有するハウジング４００を示す。図４ｂは、孔４０３を示すように、図４ａにおける爪状部材４０２が外される瓶蓋を示す。図４ｃは、桿部４０６と、アンカー４０７とを有する爪状部材４０２の側面図を示す。図４ｄは、図４ａのハウジング４００が中空である断面図を示す。図４ｅは、延長状態（実線）及び格納状態（点線）の爪状部材４０２を有するハウジング４００を示す。
【００３３】
図４を参照し、凹部４１０を有するハウジング４００の実施例が示される。本実施例では、ハウジング４００は、ネイルポリッシュ容器の蓋とするが、これに限定されない。ハウジング４００は、人間の手爪又は足爪の形状及びサイズに実質的に類似する爪状部材４０２を備える。ハウジング４００は、凹部４１０の底面に位置される孔４０３をさらに備える。爪状部材４０２は、爪状部材４０２の下側から延出し、孔４０３にフィットするサイズ及び形状を有する桿部４０６を備える。爪状部材４０２は、桿部４０６から延出し、孔４０３の幅より大きいサイズ及び形状を有するアンカー４０７をさらに備える。アンカー４０７は、ハウジング４００の内側に位置されることにより、爪状部材４０２をハウジング４００に取り付けたままで、爪状部材４０２を延長状態で桿部４０６及びアンカー４０７を回転軸としてハウジング４００の周りで回転させるように構成される。爪状部材４０２が格納状態から延長状態へと回転し、その間に様々な部分状態がある。
【００３４】
図５は、着脱可能な傾け爪部を有する実施例を示す図面である。特に、図５ａは、格納状態の爪状部材５０２と、瓶５４０とを有するハウジング５００を示す。図５ｂは、格納状態の爪状部材５０２と、瓶５４０とを有するハウジング５００を備える上面図を示す。図５ｃは、格納状態の爪状部材５０２と、瓶５４０とを有するハウジング５００を備える側面図を示す。図５ｄは、格納状態の爪状部材５０２と、瓶５４０とを有するハウジング５００を備える斜視図をを示す。図５ｅは、瓶５４０と分離する爪状部材５０２を有するハウジング５００を備える分解図を示す。
【００３５】
図５ａ〜図５ｅを参照し、凹部５１０を有するハウジング５００の実施例が示される。本実施例では、ハウジング５００は、ネイルポリッシュ容器の蓋とするが、これに限定されない。ハウジング５００は、人間の手爪又は足爪の形状及びサイズに実質的に類似する爪状部材５０２を備える。ハウジング５００は、凹部５１０の両側に互いに対向して位置される第１切欠部５０３及び第２切欠部５０４を含む。爪状部材５０２の一側上には、サイズ及び形状が第１切欠部５０３に相補的に係合される第１突起部５０８がある。爪状部材５０２の対向側上には、サイズ及び形状が第２切欠部５０４に相補的に係合される第２突起部５０９がある。第１突起部５０８及び第２突起部５０９が第１切欠部５０３及び第２切欠部５０４にそれぞれ係合されることにより、爪状部材５０２をハウジング５００に着脱可能に取り付けるとともに、突起部５０８と５０９及び切欠部５０３と５０４を支点として爪状部材５０２をハウジング５００から離れるように回転させる。爪状部材５０２が格納状態から延長状態へと回転し、その間に様々な部分状態がある。ここでは、爪状部材５０２は、格納状態と延長状態との間で回転且つ変化することができる。爪状部材５０２が収納状態で凹部５１０に実質的に格納され、爪状部材５０２の少なくとも一部が延長状態で凹部５１０から突出される。
【００３６】
図６は、着脱可能な傾け爪部を有する他の実施例を示す図面である。特に、図６ａは、格納状態の爪状部材６０２と、瓶６４０とを有するハウジング６００を示す。図６ｂは、格納状態の爪状部材６０２と、瓶６４０とを有するハウジング６００を備える上面図を示す。図６ｃは、格納状態の爪状部材６０２と、瓶６４０とを有するハウジング６００を備える側面図を示す。図６ｄは、瓶６４０と分離する爪状部材６０２を有するハウジング６００を備える分解図をを示す。図６ｅは、格納状態の爪状部材６０２と、瓶６４０とを有するハウジング６００を備える斜視図を示す。図６ｆは、ハウジング６００と、瓶６４０とを備える後方斜視図を示す。
【００３７】
図６ａ〜図６ｆを参照し、凹部６１０を有するハウジング６００の実施例が示される。本実施例では、ハウジング６００は、ネイルポリッシュ容器の蓋とするが、これに限定されない。ハウジング６００は、人間の手爪又は足爪の形状及びサイズに実質的に類似する爪状部材６０２を備える。ハウジング６００は、凹部６１０の両側に互いに対向して位置される第１切欠部６０３及び第２切欠部６０４を含む。爪状部材６０２の一側上には、サイズ及び形状が第１切欠部６０３に相補的に係合される第１突起部６０８がある。爪状部材６０２の対向側上には、サイズ及び形状が第２切欠部６０４に相補的に係合される第２突起部６０９がある。第１突起部６０８及び第２突起部６０９が第１切欠部６０３及び第２切欠部６０４にそれぞれ係合されることにより、爪状部材６０２をハウジング６００に着脱可能に取り付けるとともに、切欠部６０３と６０４及び突起部６０８と６０９を支点として爪状部材６０２をハウジング６００から離れるように回転させる。爪状部材６０２が格納状態から延長状態へと回転し、その間に様々な部分状態がある。ここでは、爪状部材６０２は、格納状態と延長状態との間で回転且つ変化することができる。爪状部材６０２が収納状態で凹部６１０に実質的に格納され、爪状部材６０２の少なくとも一部が延長状態で凹部６１０から突出される。
【００３８】
図７は、着脱可能な傾け爪部を有する他の実施例を示す図面である。特に、図７ａは、格納状態の爪状部材７０２と、瓶７４０とを有するハウジング７００の正面図を示す。図７ｂは、格納状態の爪状部材７０２と、瓶７４０とを有するハウジング７００を備える上面図を示す。図７ｃは、格納状態の爪状部材７０２と、瓶７４０とを有するハウジング７００を備える側面図を示す。図７ｄは、格納状態の爪状部材７０２と、瓶７４０とを有するハウジング７００を備える斜視図を示す。図７ｅは、瓶７４０と分離する爪状部材７０２と、爪状部材７０２と係合して、爪状部材７０２をハウジング７００に取り付けるキャップ部材７０５とを有するハウジング７００を備える分解図を示す。
【００３９】
図７ａ〜図７ｅを参照し、凹部７１０を有するハウジング７００の実施例が示される。本実施例では、ハウジング７００は、ネイルポリッシュ容器の蓋とするが、これに限定されない。ハウジング７００は、人間の手爪又は足爪の形状及びサイズに実質的に類似する爪状部材７０２を備える。ハウジング７００は、爪状部材７０２をハウジング７００に着脱可能に取り付けるように、爪状部材７０２と係合されるキャップ部材７０５をさらに備える。キャップ部材７０５は、互いに対向して位置される第１切欠部７０３及び第２切欠部７０４を含む。爪状部材７０２の一側上には、サイズ及び形状が第１切欠部７０３に相補的に係合される第１突起部７０８がある。爪状部材７０２の対向側上には、サイズ及び形状が第２切欠部７０４に相補的に係合される第２突起部７０９がある。第１突起部７０８及び第２突起部７０９が第１切欠部７０３及び第２切欠部７０４にそれぞれ係合され、キャップ部材７０５がハウジング７００の頂部に係合されることにより、爪状部材７０２をキャップ部材７０５に着脱可能に取り付けるとともに、切欠部７０３と７０４及び突起部７０８と７０９を支点として爪状部材７０２をハウジング７００から離れるように回転させる。爪状部材７０２が格納状態から延長状態へと回転し、その間に様々な部分状態がある。ここでは、爪状部材７０２は、格納状態と延長状態との間で回転且つ変化することができる。爪状部材７０２が収納状態で凹部７１０に実質的に格納され、爪状部材７０２の少なくとも一部が延長状態で凹部７１０から突出される。
【００４０】
また、上述した実施例において、格納状態である場合、爪状部材１０２、２０２、３０２、４０２、５０２、６０２及び７０２をそれぞれのハウジング１００、２００、３００、４００、５００、６００及び７００の一部となるように、爪状部材１０２、２０２、３０２、４０２、５０２、６０２及び７０２は、ハウジング１００、２００、３００、４００、５００、６００及び７００（即ち、ネイル容器の瓶蓋）と実質的に一体化されることができる。他のより好ましい実施例において、爪状部材１０２、２０２、３０２、４０２、５０２、６０２及び７０２を瓶（図示せず）の一部となるように、瓶と一体化し、爪状部材１０２、２０２、３０２、４０２、５０２、６０２及び７０２はハウジングに着脱可能に取り付けられることができる。
【００４１】
上述したように、ネイルポリッシュ容器は、使用者が手足の爪のサイズ及び形状を模擬する付属物で容器内の流体の実際の色及び外観を表現する効果を実現することができる。ネイルポリッシュ容器は、使用者がネイルトリートメントを爪状部材に施し、施された爪状部材を使用者の実際の爪に近接することにより、使用者自身の爪に施された場合の視覚的外観を模擬することができる。ネイルポリッシュ容器のハウジング及び爪状部材は、使用者が容器内の液体形態のネイルトリートメント液の視覚的な外観と、爪に施されて乾燥または硬化させた後のネイルトリートメント液の視覚的な外観と比較して関連付けることができ、一部の使用者が適切に施された後に様々なネイルトリートメントがどのように見えるかを視覚化することができる。また、使用者は、この発明概念のネイルポリッシュ容器によって、特定のトリートメントを決める前に、そのトリートメントが自分の爪に施されたことを模擬することができる。
【００４２】
本発明の一般的な概念が図面に示され、現在最も実用と考えられる好ましい実施例と関連して具体的且つ詳細に記載されているが、本明細書に記載の原理及び概念を逸脱することなく様々な変更が可能であることが当業者には自明であり、本明細書は、サイズ、材料、形状、形態、機能及び操作方法、組み立て及び使用上の変化を含むが、これらに限定されない。
【００４３】
以下の特許請求の範囲は、本明細書で説明された本発明の全ての一般的および特定の特徴、ならびに、言語の問題として、その中に収まると言われるであろう本発明の範囲の全ての言及をカバーするものであることも理解されるべきである。従って、本発明の一般的な概念の適切な範囲は、すべての変更及び図面と本明細書に記載される同等なすべての関係を含むように、添付の特許請求の範囲の最も幅広い解釈のみによって決定されるべきである。
【００４４】
さらに、添付の要約の目的は、米国特許商標庁、他の特許庁、一般大衆、特に特許または法的用語又は表現に精通していない科学者、技術者および当業者が、本明細書に開示された技術的主題の本質および特質を、迅速に判断できるためのものと理解されるべきである。よって、要約書は、特許請求の範囲により評価される本発明又は本出願を定めるものではなく、決して本発明の範囲を限定するものでもない。
【符号の説明】
【００４５】
１００、２００、３００、４００、５００、６００、７００：ハウジング
１０２、２０２、３０２、４０２、５０２、６０２、７０２：爪状部材
１０３：第１溝部
１０４：第２溝部
１１０、２１０、３１０、４１０、５１０、６１０、７１０：凹部
２０３：スロット
２０６、３０６、４０６：桿部
２０７、３０７、４０７：アンカー
３０３、４０３：孔
５０３、６０３、７０３：第１切欠部
５０４、６０４、７０４：第２切欠部
５０８、６０８、７０８：第１突起部
５０９、６０９、７０９：第２突起部
５４０、６４０、７４０：瓶
７０５：キャップ部材
【図１】
0006474902.tif 000002
【図２】
0006474902.tif 000003
【図３】
0006474902.tif 000004
【図４】
0006474902.tif 000005
【図５】
0006474902.tif 000006
【図６】
0006474902.tif 000007
【図７】
0006474902.tif 000008